(57)【要約】【課題】引戸に制動力が作用した場合に、この制動力に伴う引戸の跳ね上げを簡単かつ効果的に抑制することができる引戸の跳ね上げ抑制装置を提供する。【解決手段】ガイドレール３と、ガイドレール３と引戸１との間の隙間Ｓを前方から覆う幕板５とを備える。ガイドレール３は、レール本体３１と、レール本体３１から前方に突出するとともにこの突出部分において上方に開口する係合溝部３２ａが設けられた係合突条部３２とを有する。幕板５は、幕板本体５１と、この幕板本体５１から後方に突出する幕板突出部５２と、この幕板突出部５２先端から下方に突出する差込突片部５３とを有しする。幕板５をガイドレール３に取り付けた状態で、幕板５の上端とその上方の戸枠上部２１までの高さは、差込突片部５３の係合溝部３２ａに対する差込長さよりも短く設定されている。【選択図】  図１
2013049951.tif 000002
【特許請求の範囲】
【請求項１】
開口部の上辺に沿って配置され、引戸の上部に取り付けられたガイド体を案内するレール部材と、このレール部材と上記引戸との間の隙間を少なくとも前後一方から覆う幕板とを備えた引戸用幕板の取付構造において、
上記レール部材は、上記開口部上辺に取り付けられるレール本体と、上記レール本体から上記幕板側に突出するとともにこの突出部分において上方に開口する係合溝部が長手方向に沿って設けられた係合突出部とを有し、
上記幕板は、幕板本体と、この幕板本体から上記レール部材側に突出する幕板突出部と、この幕板突出部から下方に突出して少なくとも先端部が上記係合溝部に係脱することにより上記幕板を上記レール部材に着脱自在に取り付ける差込突出部とを有し、
上記幕板をレール部材に取り付けた状態で、上記幕板の上端とその上方の上記開口部上辺までの高さは、上記差込突出部の係合溝部に対する差込長さよりも短く設定されていることを特徴とする引戸用幕板の取付構造。
【請求項２】
上記係合突出部は上記レール本体の前後両側面にそれぞれ設けられ、上記幕板はいずれかの上記係合突出部に取り付けられていることを特徴とする請求項１記載の引戸用幕板の取付構造。
【請求項３】
上記幕板突出部及び差込突出部は、上記レール部材の長手方向に沿って連続して設けられていることを特徴とする請求項１または請求項２記載の引戸用幕板の取付構造。
【請求項４】
上記幕板は、上記幕板突出部の下方において上記レール部材側に突出して上記係合突出部の側面に当接する幕板係合補助部を更に有していることを特徴とする請求項１ないし請求項３のいずれか１項に記載の引戸用幕板の取付構造。
【発明の詳細な説明】
【技術分野】
【０００１】
本発明は、建物や家具などの構造物の開口部を開閉する引戸とこの引戸の上部を案内するレール部材との間の隙間を前後少なくともいずれか一方から覆う幕板の取付構造に関するものである。
【背景技術】
【０００２】
近年、建物などの開口部を開閉する引戸において、上記開口部の上辺部である上部戸枠に沿って配置されたレール部材と、ガイドローラを含み引戸上部に取り付けられたガイド体とを備え、ガイド体のガイドローラをレール部材に沿って案内することによって、引戸上部を案内する引戸ガイド装置が多く見受けられるようになっている。
【０００３】
このような引戸ガイド装置においては、引戸とレール部材との間に隙間を生じることがあり、このような隙間は外観体裁の悪化をもたらすばかりでなく、この隙間を通じた光漏れが生じることから、このような隙間を前方ないしは後方から覆う幕板が設けられることが多い。
【０００４】
このような幕板は、例えば特許文献１に示されるような構造でレール部材に取り付けられる。すなわち、従来の幕板の取付構造においては、レール部材の上板部の上面に前方へ開口した凹所を形成し、該レール部材の上板部を取付天面に取着し、同レール部材の前方に配設される幕板の後側に水平片を突設し、該水平片を前記凹所に前後方向スライド自在に挿入し、同レール部材の上板部の凹所部分に下方より挿通される螺子体を取付天面にねじ込んで、前記凹所内の水平片を同取付天面とレール部材の上板部との間に挟持固定してなるものが知られている。
【０００５】
この幕板の取付構造においては、レール部材の取付箇所に応じてレール部材に対する幕板の脱着を判断することができ、このため幕板がレール部材と一体化されているものと比べて、現場状況に応じて対応し易いという利点がある。
【先行技術文献】
【特許文献】
【０００６】
【特許文献１】特開平０７−２１７１８２号公報
【発明の概要】
【発明が解決しようとする課題】
【０００７】
しかしながら、上記特許文献１記載の幕板の取付構造においては、レール部材と幕板との相互位置を調節した上で螺子体をねじ込まなければならず、現場における作業が面倒であり、作業効率の面で問題があった。
【０００８】
この場合、例えば幕板の背面に長手方向に沿った横溝が設けられ、この横溝がレール部材に設けられた突条に横方向から嵌合されることにより簡易に取り付けられるものなども想定されるが、引戸の開閉に伴う振動等により嵌合状態が解除されて脱落することも考えられる。
【０００９】
本発明は、上記従来の問題点に鑑みてなされたものであり、引戸とレール部材との間の隙間を前後一方から覆う幕板について、簡易に取り付けることができ、しかも取り付けた後には確実に脱落を防止することができる引戸用幕板の取付構造を提供することを目的としている。
【課題を解決するための手段】
【００１０】
上記課題を解決するために、この発明に係る引戸用幕板の取付構造において、開口部の上辺に沿って配置され、引戸の上部に取り付けられたガイド体を案内するレール部材と、このレール部材と上記引戸との間の隙間を少なくとも前後一方から覆う幕板とを備えた引戸用幕板の取付構造において、上記レール部材は、上記開口部上辺に取り付けられるレール本体と、上記レール本体から上記幕板側に突出するとともにこの突出部分において上方に開口する係合溝部が長手方向に沿って設けられた係合突出部とを有し、上記幕板は、幕板本体と、この幕板本体から上記レール部材側に突出する幕板突出部と、この幕板突出部から下方に突出して少なくとも先端部が上記係合溝部に係脱することにより上記幕板を上記レール部材に着脱自在に取り付ける差込突出部とを有し、上記幕板をレール部材に取り付けた状態で、上記幕板の上端とその上方の上記開口部上辺までの高さは、上記差込突出部の係合溝部に対する差込長さよりも短く設定されていることを特徴とするものである。
【００１１】
この発明によれば、レール部材における上方に開口する係合溝部に、幕板における下方に突出する差込突出部が係脱することにより、上記幕板を上記レール部材に着脱自在に取り付けることができるため、取付現場に応じて幕板の有無を判断してレール部材に幕板を脱着することができる。しかも、差込突出部を係合溝部に差し込むだけで幕板をレール部材に取り付けることができるため、比較的容易に幕板をレール部材に取り付けることができる。
【００１２】
また、上記幕板をレール部材に取り付けた状態で、上記幕板の上端とその上方の上記開口部上辺までの高さは、上記差込突出部の係合溝部に対する差込長さよりも短く設定されているので、開口部上辺にレール部材が取り付けられた状態においては、幕板をレール部材から取り外そうとしても幕板上端がその上方の開口部上辺に干渉することにより、幕板の取り外しが阻害される。言い換えれば、幕板取付状態のレール部材が開口部上辺に取り付けられれば、レール部材からの幕板の脱落を確実に防止することができる。
【００１３】
すなわち、この発明によれば、レール部材に幕板を容易に取り付けることができ、幕板取付状態のレール部材を開口部上辺に取り付けた後は、この幕板のレール部材からの脱落を確実に防止することができる。
【００１４】
この発明において、上記係合突出部は、上記レール本体の前後いずれか一方の側面に設けられているものであってもよいが、上記係合突出部は、上記レール本体の前後両側面にそれぞれ設けられているのが好ましく、この場合、上記幕板はいずれかの上記係合突出部に取り付けられる。
【００１５】
上記係合突出部がレール本体の前後いずれか一方の側面に設けられている場合には、幕板配置方向に応じて垂直軸を中心にレール本体を旋回させることにより幕板の配設位置を調整することができるものの、上記のように構成すれば、上記のような旋回も不要となり、現場における作業性をさらに改善することができる。
【００１６】
この発明において、上記幕板突出部及び差込突出部は、上記レール部材の長手方向に沿って散点的、或いは所定箇所に設けられるものであってもよいが、これらの幕板突出部及び差込突出部は、上記レール部材の長手方向に沿って連続して設けられているのが好ましい。
【００１７】
このように構成すれば、レール部材の長手方向に沿って連続して設けられたこれらの突出部のうちの幕板突出部が係合溝部に差し込まれることにより、幕板のレール部材に対する取付安定性が更に向上する。
【００１８】
この発明において、上記幕板はその差込突出部がレール部材の係合突出部に差し込まれることのみによって、レール部材に係合されるものであってもよいが、幕板とレール部材との係合は差込突出部と係合突出部との係合だけに限定されるものではない。例えば上記幕板は、上記幕板突出部の下方において上記レール部材側に突出して上記係合突出部の側面に当接する幕板係合補助部を更に有し、この幕板係合補助部が係合突出部の側面に当接することによっても幕板とレール部材とが係合しているものであってもよい。
【００１９】
このように構成すれば、幕板係合補助部が係合突出部の側面に当接することにより、幕板がレール部材において２点において当接支持され、これにより幕板のレール部材の取付安定性をさらに向上させることができる。
【００２０】
なお、この発明において、例えば以下のように構成することによっても、所定の作用効果を得ることができる。
【００２１】
この発明において、上記係合溝部は無底溝として構成されている（係合突出部を上下に貫通して構成されている）ものであってもよく、差込突出部を差込可能に構成されていればその具体的構成は特に限定されるものではなく、また上記差込突出部の係合溝部に対する差込の程度も特に限定されるものではないが、上記係合溝部は有底溝として構成され、上記差込突出部はこの係合溝部の下部にまで差し込まれるのが好ましい。
【００２２】
このように構成すれば、係合溝部が有底溝として構成されているので下方からの見栄えが良好になるばかりでなく、差込突出部が係合溝部の下部にまで差し込まれることによりこの差込突出部と係合突出部とを十分に係合させることができ、幕板の取付安定性を向上させることができる。
【００２３】
幕板係合補助部を設ける場合、幕板係合補助部の下面の位置は特に限定されるものではないが、上記幕板係合補助部の下面は、上記幕板をレール部材に取り付けた状態で、上記係合突出部の下面と面一になるように構成されているのが好ましい。なお、ここでいう「面一」とは、完全に面一になっている場合の他、略面一になっている場合も含まれる。
【００２４】
このように構成すれば、幕板係合補助部の下面と係合突出部の下面とが面一に構成されるので、下方から見た場合に両者の間に段差が生じることがなく、見栄えがさらに良好になる。
【発明の効果】
【００２５】
本発明に係る引戸用幕板の取付構造によれば、レール部材に幕板を容易に取り付けることができ、幕板取付状態のレール部材を開口部上辺に取り付けた後は、この幕板のレール部材からの脱落を確実に防止することができる。
【図面の簡単な説明】
【００２６】
【図１】本発明に係る引戸用幕板の取付構造を示す断面図である。
【図２】同取付構造を一部断面で示す正面図である。
【図３】同取付構造が適用される引戸とそのガイドユニットとを一部分解した状態で示す斜視図である。
【図４】同取付構造に用いられるレール部材と幕板とを取付前の状態で示す斜視図である。
【図５】同取付構造におけるレール部材を示す側面図である。
【図６】同取付構造における幕板を示す側面図である。
【図７】同取付構造における変形例を示す断面図である。
【発明を実施するための形態】
【００２７】
以下、本発明に係る一実施形態を図面に基づいて説明する。なお、本実施形態の引戸用幕板の取付構造は、上端部がガイドレールに案内される、戸車付き下支え形式の引戸について適用したものであるが、下戸車なしの非吊下式引戸や、吊下式引戸等、その他引戸にも当然に適用することができる。また、本実施形態に記載の引戸上部を案内するガイド部材は、引戸の開閉動作の少なくともいずれか一方の動作をアシストするスライドアシスト装置を兼用するものであるが、単に引戸上部をガイドするだけのものであっても良く、また引戸と戸枠の衝突を緩和させるための引戸のスライド終期に引戸に制動力を付与する引戸緩衝装置を兼用するものであってもよい。なお、このスライドアシスト装置は、引戸に対し閉止方向についてスライドアシスト力を付与するものとなされているが、開放方向についてアシスト力を付与するものであってもよい。もちろん、開閉各方向についてスライドアシスト力を付与するスライドアシスト装置をともに引戸に設けるものであってもよい。
【００２８】
図１は、本実施形態の引戸用幕板の取付構造を示す断面図である。図２は、同取付構造を一部断面で示す正面図である。
【００２９】
まず、本実施形態の引戸用幕板の取付構造が適用される引戸の構造について簡単に説明する。引戸の構造は、建物の開口部を開閉する引戸１と、この引戸１が内側でスライド移動する戸枠２とを備える。
【００３０】
引戸１は、パネル状の戸本体１１と、戸本体１１の下部に取り付けられた左右一対の下戸車（不図示）とを備える。なお、この下戸車には高さ調節機構が設けられ、例えば経年によって戸枠（特に側部内面）との間に隙間が生じた場合でも下戸車の高さ調節機構を調節することにより戸本体を傾きを変えて閉め残しを解消することができるものとなされている。
【００３１】
この引戸１の頂部には、図２及び図３に示すように、第１及び第２ガイドユニット１２，１３が上方に突出する態様で取り付けられている。これらの第１及び第２ガイドユニット１２，１３は、引戸１の頂部に埋設された引戸固定体１２ａ，１３ａと、この引戸固定体１２ａ，１３ａから上方に延びる取付ボス部１２ｂ，１３ｂと、この取付ボス部１２ｂ，１３ｂの上端部に螺子などで取り付けられたガイド本体１２ｃ，１３ｃとを有する。これらの第１及び第２ガイドユニット１２，１３は、ガイド本体１２ｃ，１３ｃに左右に複数設けられた前後一対のガイドローラ１２ｄ，１３ｄが、後述するガイドレール３内を転動することにより、ガイドレール３に沿って引戸１の上部を開閉動作に伴って案内するものとなされている。
【００３２】
なお、第１ガイドユニット１２は、引戸１のスライドアシスト機能を有するものである。具体的には、第１ガイドユニット１２は、ガイドレール３の天面に下方に突出して設けられた受け部材４と協働することにより、ガイド本体１２ｃ内の弾性部材（不図示）の付勢力を蓄積または解放可能に構成され、引戸１の閉止速度が速い場合などは付勢力が解放される際にガイド本体１２ｃに受け部材４が係合してガイド本体１２ｃに制動力が作用するようになされているとともに、上記解放された付勢力をスライドアシスト力として引戸１に対して付与されるようになっている。
【００３３】
一方、戸枠２は、構造物の開口部を構成するものである。この戸枠上部２１の下面によって、開口部の上辺が構成されている。この戸枠上部２１には、開口部上辺に沿って下方に開口する埋設溝２２が延設されている。この埋設溝２２には、ガイドレール３（レール部材に相当）がその上側を嵌合されることにより、戸枠上部２１から下方に突出した状態で設置されている。従って、ガイドレール３は、開口部上辺に沿って配置されている。埋設溝２２の深さは、このガイドレール３と後述する幕板５との取付構造に応じて適宜設定される。この点については、後に詳述する。
【００３４】
本実施形態の引戸用幕板の取付構造は、この戸枠上部２１と、戸枠上部２１の埋設溝２２に設置されたガイドレール３と、このガイドレール３に取り付けられる幕板５とを含んで構成され、ガイドレール３に対する幕板５の取付、及びこの幕板５が取り付けられたガイドレール３の戸枠上部２１に対する取り付けを工夫することにより、幕板５のガイドレール３に対する取り付けを容易にするとともに、ガイドレール３の設置後の幕板５の脱落を確実に防止するものとなされている。以下、この引戸用幕板の取付構造について、詳細に説明する。
【００３５】
まず、ガイドレール３について、図１及び図２に加え、図４及び図５を用いて説明する。図４はガイドレールと幕板とを両者取付前の状態で示した斜視図であり、図５はレール部材を示す側面図である。
【００３６】
ガイドレール３は、戸枠上部２１に沿って延びる長尺部材であり、該戸枠上部２１の長さにあわせて寸法設定されている。このガイドレール３は、アルミなどの金属によって構成されていてもよいが、本実施形態では、引戸１の重量を支持する必要がないことから、ＡＢＳ樹脂（Acrylonitrile Butadiene Styrene：アクリロニトリル・ブタジエン・スチレン樹脂）等の合成樹脂によって構成されている。
【００３７】
ガイドレール３は、図４及び図５に明示するように、戸枠上部２１の埋設溝２２に上部が嵌入された状態で配置されるレール本体３１と、レール本体３１の前後各側面壁に外方に向かって突出する係合突条部３２（係合突出部に相当）とを備え、これらがＡＢＳ樹脂等の合成樹脂成形品として一体に構成されている。
【００３８】
レール本体３１は、天板部３５と、天板部３５の前後両端縁から垂下された前後側面壁部３６と、この前後側面壁部３６の下端から互いに内側に延出するガイドフランジ部３７とを備え、各ガイドフランジ部３７の先端が所定の間隔を隔てて配置されることにより、これらの先端間に引戸１の開閉操作に伴って第１及び第２ガイドユニット１２，１３の取付ボス部１２ｂ，１３ｂが挿通されるガイド溝３８が構成されている。
【００３９】
天板部３５は、天板本体３５ａと、この天板本体３５ａの前後幅方向中央部が上方に膨出して構成された重合取付部３５ｂと、天板本体３５ａの前後両端縁において上方に突設された突出リブ部３５ｃとを備え、ガイドレール３が戸枠上部２１に取り付けられた状態においては重合取付部３５ｂの上面と突出リブ部３５ｃの上端とが戸枠上部２１の埋設溝２２の底面に当接するものとなされている。なお、天板部３５の重合取付部３５ｂには、長手方向に沿った適宜箇所にねじ挿通孔３５ｅが設けられ、このねじ挿通孔３５ｅを通じてねじが戸枠上部２１（具体的には埋設溝２２の底部）にねじ込まれることにより、ガイドレール３が戸枠上部２１に固定される。
【００４０】
ガイドフランジ部３７は、下方に突出する湾曲状に構成され、先端部が斜め上方に指向するように設定されている。このガイドフランジ部３７は、その上面に引戸１の開閉操作に伴って、ガイドユニット１２，１３のガイドローラ１２ｄ，１３ｄが転動するものとなされている。
【００４１】
一方、係合突条部３２（係合突出部に相当）は、上述したように、レール本体３１の前後両側面壁部３６に設けられているが、これは前後対称であるので、ここでは前側（図４で手前側、図５で右側）のものについて説明する。
【００４２】
係合突条部３２は、幕板５と係合して該幕板５を取り付けるものであり、レール本体３１の前側面壁部３６の下端部外面にレール本体３１の長手方向に沿って連続して設けられている。この係合突条部３２は、上方に開口する係合溝部３２ａが長手方向に沿って連続して設けられ、この係合溝部３２ａに幕板５の後述する差込突片部５３が挿入されることにより幕板５がガイドレール３に取り付けられる。
【００４３】
係合溝部３２ａは、無底溝であってもよいが、本実施形態では有底溝として構成されている。このため、下方からガイドレール３を観察してもこの係合溝部３２ａの存在を認識することができず、無底溝として下方から溝の存在を確認できる場合に比べて、外観体裁を良好に保つことができる。
【００４４】
この係合溝部３２ａが設けられる前後方向の具体的箇所は、特に限定されるものではなく、幕板５の差込突片部５３が係合可能であれば特に限定されるものではない。本実施形態では、係合溝部３２ａは、係合突条部３２の上面におけるレール本体３１側の端部に凹設され、レール本体３１の前側面壁部３６の外面とともに溝部が構成されている。
【００４５】
また、係合突条部３２は、その係合溝部３２ａの外側（前側）の開口端部内面にレール本体３１側に突出するレール側クリック突条３２ｂが突設されている。このレール側クリック突条３２ｂは、段面視略半円状に構成され、差込突片部５３の後述する幕板側クリック突条５３ａが乗り越えることによりクリック感を得られるとともにガイドレール３と幕板５との係合解除の防止機能を果たしている。
【００４６】
次に、幕板５について、図１及び図２に加え、図４及び図６を用いて説明する。図６は、幕板を示す側面図である。本実施形態では、幕板５はガイドレール３の前後いずれの係合突条部３２に対しても取り付けることが可能であり、もちろん前後両方の係合突条部３２に対しても取り付けることも可能であるが、ここでは前側の係合突条部３２に対して取り付ける場合を前提に説明する。なお、後側の係合突条部３２に幕板５を取り付ける場合も、前後反転させるだけである。
【００４７】
幕板５は、図１及び図２に示すように、ガイドレール３と引戸１の上端部との間の隙間Ｓを前方から覆って、外観体裁を向上させるとともにこの隙間Ｓを通じた光漏れを防止するものとなされている。この幕板５は、ガイドレール３に沿って延びる長尺部材であり、ガイドレール３の長さにあわせて寸法設定されている。また、幕板５は、アルミなどの金属によって構成されていてもよいが、本実施形態では、ガイドレール３と同様に、ＡＢＳ樹脂（Acrylonitrile Butadiene Styrene：アクリロニトリル・ブタジエン・スチレン樹脂）等の合成樹脂によって構成されている。
【００４８】
幕板５は、図４及び図６に明示するように、ガイドレール３に沿って延びる長尺板状の幕板本体５１と、この幕板本体５１の上端からガイドレール３側（図４では後側）に突出する幕板突出部５２と、この幕板突出部５２から下方に突出してこの突出部分が係合突条部３２の係合溝部３２ａに抜き差しされる差込突片部５３（差込突出部に相当）と、幕板突出部５２の下方においてガイドレール３側に突出して係合突条部３２の側面に当接する幕板係合補助片５４（幕板係合補助部に相当）とを備え、これらがＡＢＳ樹脂等の合成樹脂成形品として一体に構成されている。
【００４９】
幕板本体５１は、上記のようにガイドレール３に沿って延びる長尺板状体であり、上下方向の長さがガイドレール３と引戸１の上端部との間の隙間Ｓを前方から覆うのに十分な長さに設定される。ここでは、幕板本体５１の下端部が引戸１の上端部側面に位置するように設定されている。
【００５０】
幕板突出部５２は、本実施形態では幕板本体５１の上端から該本体５１に対して垂直後方に向かって延出した舌状部である。この幕板突出部５２は、ガイドレール３の長手方向に沿って部分的に設けられるものであってもよいが、本実施形態ではガイドレール３の長手方向に連続して設けられている。
【００５１】
また、この幕板突出部５２の突出量は、ガイドレール３の係合溝部３２ａを考慮して適宜定められる。本実施形態では、幕板突出部５２の突出量は、幕板本体５１がガイドレール３の係合突条部３２の側面（前側面）から離間するように調整されている。
【００５２】
一方、差込突片部５３は、ガイドレール３の係合突条部３２に設けられた係合溝部３２ａに係脱可能に差し込まれるものであり、これにより幕板５をガイドレール３に着脱自在に取り付けるものである。この差込突片部５３は、幕板突出部５２の先端から垂直下方に垂下して延在し、ガイドレール３の長手方向に連続して設けられている。
【００５３】
差込突片部５３の一側面（図６では前側面）には、幕板本体５１側（図１では前側）に突出する幕板側クリック突条５３ａが突設されている。この幕板側クリック突条５３ａは、段面視略半円状に構成され、ガイドレール３の係合突条部３２におけるレール側クリック突条３２ｂを乗り越えることによりクリック感を得られるとともにガイドレール３と幕板５との係合解除の防止機能を果たしている。
【００５４】
また、差込突片部５３の突出量は、ガイドレール３の係合突条部３２における係合溝部３２ａの深さに応じて設定される。本実施形態では、差込突片部５３の突出量は、幕板５をガイドレール３に取り付けた状態で、差込突片部５３の先端部が係合溝部３２ａの底部に位置するように調整されている。なお、この差込突片部５３の突出量は、ガイドレール３を戸枠上部２１に取り付ける場合に、幕板５の上端とその上方の戸枠上部２１までの高さを設定する場合の基準になる。本実施形態では、幕板５の上端とその上方の戸枠上部２１までの高さが僅かに（略ゼロに）、言い換えると幕板５の上端が戸枠上部２１に略当接した状態に設定されている。
【００５５】
幕板係合補助片５４は、差込突片部５３が係合溝部３２ａに差し込まれた状態で、先端面５４ａがガイドレール３の一側面、本実施形態では係合突条部３２の前面に当接することにより幕板本体５１の姿勢維持を補助するものである。この幕板係合補助片５４は、幕板本体５１の中間部分から該本体５１に対して垂直後方に向かって延出した舌状部であり、このため幕板突出部５２と略平行に延在している。この幕板係合補助片５４は、ガイドレール３の長手方向に沿って部分的に設けられるものであってもよいが、本実施形態ではガイドレール３の長手方向に連続して設けられている。
【００５６】
また、幕板係合補助片５４が突設される幕板本体５１における高さ位置は、特に限定されるものではないが、図６に示すように、差込突片部５３の先端に対応（略対応も含む）して設けられている。特に、本実施形態では、幕板５をガイドレール３に取り付けた状態で、幕板係合補助片５４の下面が、ガイドレール３の係合突条部３２の下面に面一（略面一も含む）になるように構成されている。このため、幕板５のガイドレール３に対する取付剛性が向上するとともに、外観体裁の悪化を防止することができる。
【００５７】
また、この幕板係合補助片５４は、先端部に上方に突設された補助リブ５４ｂを含み、この補助リブ５４ｂにより幕板係合補助片５４の剛性を向上させるとともに補助片５４の先端面における係合突条部３２に対する当接面を増加させて幕板本体５１の姿勢をより確実に保持させている。
【００５８】
次に、ガイドレール３と幕板５との取り付け、この幕板５付きガイドレール３の戸枠上部２１に対する取り付け、およびこれらの位置関係について説明する。
【００５９】
まず、図１，図４に基づいて、幕板５のガイドレール３に対する取り付けについて説明する。この幕板５のガイドレール３に対する取り付けは、ガイドレール３を戸枠上部２１の埋設溝２２に取り付ける前に行われる。
【００６０】
ガイドレール３及び幕板５は、ともに長尺の連続した部材であるため、幕板５の差込突片部５３をガイドレール３の係合突条部３２における係合溝部３２ａに差し込むには、長手方向の一端部から他端部にかけて順次差し込むことにより行われる。具体的には、ガイドレール３及び幕板５の長手方向の位置を揃えた上で、幕板５の一端部から差込突片部５３を係合溝部３２ａに順次差し込んでいく。この差し込みにあたっては、差込突片部５３の差込に伴い、幕板側クリック突条５３ａとレール側クリック突条３２ｂとが干渉し、係合突条部３２の外側壁が弾性変形して幕板側クリック突条５３ａがレール側クリック突条３２ｂを乗り越えることによりクリック感を得ることができる。
【００６１】
次に、この幕板５付きガイドレール３を戸枠上部２１に取り付ける。この戸枠上部２１には、上述したように開口部の上辺に沿って延びる埋設溝２２が設けられている。この埋設溝２２の深さは、図１に示すように、幕板５付きガイドレール３のレール本体３１を埋設溝２２内に設置した状態で、幕板５の上端部と戸枠上部２１の下面との間の間隔Ｈ１が所定の間隔（図１では略ゼロ）となるように寸法設定されている。本実施形態では、ガイドレール３を埋設溝２２に設置した状態で、レール本体３１の係合突条部３２の上面と戸枠上部２１との上面との間隔が幕板突出部５２の厚みと上記間隔Ｈ１との和に略等しくなるように設定されている。
【００６２】
そして、この間隔Ｈ１については、幕板５における差込突片部５３の係合溝部３２ａに対する差込量Ｈ２よりも小さく設定され、好ましくは差込量Ｈ２の半分以下に設定されている。更に好ましくは、本実施形態のように、上記間隔Ｈ１はゼロないしは略ゼロに設定されるのが好ましい。
【００６３】
このような戸枠上部２１の埋設溝２２に対して、幕板５付きガイドレール３を上部から嵌め込み、ねじ挿通孔３５ｅを通してねじを埋設溝２２の底面にねじ込むことにより、該ガイドレール３を戸枠上部２１に取り付ける。
【００６４】
この取付け状態では、図１及び図２に明示するように、幕板５が引戸１とガイドレール３との隙間Ｓを前方から覆うことができ、この隙間Ｓが露出している場合に比べて外観体裁を良好にすることができ、またこの隙間Ｓを通じた光漏れを効果的に防止することができる。
【００６５】
また、この幕板５付きガイドレール３を戸枠上部２１に取り付けた状態では、幕板５の上端とその上方の戸枠上部２１の下面までの高さ（間隔Ｈ１）は、幕板５の差込突片部５３の係合溝部３２ａに対する差込長さ（差込量Ｈ２）よりも短くなっている。このため、この取付け状態においては、幕板５をガイドレール３から取り外すために幕板５を上方に移動させようとしても、幕板５の上端がその上方の戸枠上部２１に干渉することになり、幕板５の差込突片部５３をガイドレール３の係合突条部３２における係合溝部３２ａから抜出させることができず、幕板５の取り外しが阻害される。すなわち、幕板５のガイドレール３からの脱落を確実に防止することができる。
【００６６】
さらに、本実施形態の引戸用幕板の取付け構造によれば、ガイドレール３を戸枠上部２１に取り付ける前においては、ガイドレール３の係合溝部３２ａに、幕板５の差込突片部５３を抜き差しすることにより、幕板５をガイドレール３に脱着することができ、取付現場に応じて幕板５の有無を判断してガイドレール３に幕板５を取り付けることができる。すなわち、ガイドレール３を取り付ける箇所によっては、ガイドレール３と引戸１との間の隙間Ｓが例えば溝内に収容されて外観上表出しない場合もあり、このような場合には幕板５の取付けを省略することができ、また上記隙間Ｓが外観上表出する場合には該幕板５を非常に簡単に取り付けることができ、その取扱いの利便性を向上させることができる。加えて、本実施形態では、幕板５を前後いずれの係合突条部３２に対しても取り付けることができるので、いずれの方向に引き開きされる引戸に対しても適切に幕板を配置することができ、より一層、取り扱いの利便性を向上させることができる。また、幕板５をレール本体３１に対して後付することができるので、レール本体３１に受け部材４用の取付孔を予め穿設してても、ガイドレール３の取付の際に問題となることもなく、この点においても取り扱いの利便性を向上させることができる。
【００６７】
すなわち、本実施形態の引戸用幕板の取付構造によれば、ガイドレール３に幕板５を容易に取り付けることができ、幕板５を取り付けた状態のガイドレール３を戸枠上部２１（より具体的には埋設溝２２）に取り付けた後は、この幕板５のガイドレール３からの脱落を確実に防止することができる。
【００６８】
また、この幕板５の取付構造において、幕板突出部５２及び差込突片部５３がともにガイドレール３の長手方向に沿って連続して設けられているので、これらの各部５２，５３の剛性を向上させることができるとともに、外観も長手方向に均一にすることができて見た目も良好に維持することができ、加えて幕板５はガイドレール３に対して長手方向に連続して係合させることができるので、取付安定性をさらに向上させることができる。
【００６９】
さらに、幕板５は、ガイドレール３に対して、差込突片部５３による係合溝部３２ａの係合に加え、幕板係合補助片５４によっても係合突条部３２の側面に係合しているので、幕板５がガイドレール３に対して２点において当接支持され、これにより幕板５のガイドレールの取付安定性をさらに向上させることができる。
【００７０】
なお、以上に説明した引戸用幕板の取付構造は、本発明の引戸用幕板の取付構造の一実施形態であり、その具体的構成等についてはその趣旨を逸脱しない範囲で適宜変更可能である。以下、本実施形態の変形例について説明する。
【００７１】
（１）上記実施形態のガイドローラ１２ｄ，１３ｄは、前後一対設けられたものを用いているが、前後いずれか一方に設けられたものであっても良い。この場合には、ガイドレール３は、本実施形態のようにガイドローラ１２ｄ，１３ｄを支持するガイドフランジ部３７が前後一対設けられたものではなく、前後いずれか一方に設けるだけで足りる。
【００７２】
また、上記実施形態では、第１および第２のガイドユニット１２，１３について、ガイドローラ１２ｄ，１３ｄが設けられたものについて説明しているが、このガイドローラ１２ｄ，１３に代えて、ガイドレール３内をスライドする滑り部材を設けてもよい。要するにガイドユニット１２，１３は、引戸１の上部をガイドレール３に沿って案内できるものであれば、その具体的構成は特に限定されるものではない。
【００７３】
（２）上記実施形態では、戸枠上部２１に埋設溝２２が設けられ、この埋設溝２２内にガイドレール３が設置されたものについて説明したが、図７に示すように、埋設溝が設けられておらず、戸枠上部の下面に設置されるものであってもよい。
【００７４】
図７は、他の実施形態における引戸用幕板の取付構造を示す。この幕板の取付構造においては、戸枠上部２１の下面に配置されたガイドレール１０３と、このガイドレール１０３と引戸との隙間を前方から覆う幕板１０５とを備える。ガイドレール１０３は、レール本体１３１と、レール本体１３１の高さ方向略中央部から前方に向かって突設された係合突条部１３２とが設けられている。
【００７５】
一方、幕板１０５は、レール本体１３１の高さよりも上下に長い幕板本体１５１と、幕板本体１５１の中間部分において後方に突出する幕板突出部１５２と、幕板突出部１５２の先端から下方に突設された差込突片部１５３とを備え、この差込突片部１５３が上記係合突条部１３２の係合溝部１３２ａに抜脱されることにより幕板１０５をガイドレール１０３に係脱できるものとなされている。
【００７６】
そして、幕板１０５付きガイドレール１０３を戸枠上部２１に取り付けた状態においては、幕板１０５の上端が戸枠上部２１の下面に当接して差込突片部１５３の抜出方向である上方への移動が阻害されるため、上記実施形態と同様に、幕板１０５の取付容易性と、ガイドレール３の設置後における幕板１０５の脱落回避を両立することができる。
【００７７】
なお、この他の実施形態における取付構造では、幕板１０５の上端が戸枠上部２１の下面に当接するものとなされているが、差込突片部１５３の差込量よりも短ければ、幕板１０５の上端と戸枠上部２１の下面との間に隙間を設けるものであってもよい。この点は、先に説明した上記実施形態でも同様であることは言うまでもない。
【００７８】
また、上記実施形態では、ガイドレール３の係合突条部３２は、前後両側に設けられるものについて説明したが、この他の実施形態のようにガイドレール１０３の前面（または後面）に係合突条部１３２を設けるものとしてもよい。
【００７９】
ただし、ガイドレールの前後両側に設けた場合には、幕板の設置箇所に応じてガイドレール等を旋回させる必要がないので、現場における作業性を改善することができる。
【００８０】
さらに、上記実施形態およびこの他の実施形態においては、幕板５，１０５の幕板係合補助片５４，１５４は、ガイドレール３，１０３の係合突条部３２，１３２の側面に当接するものとなされているが、ガイドレール３に対する当接箇所は係合突条部３２に限定されるものではない。例えば、図７に示す他の実施形態において、幕板係合補助片を、図７に示す位置よりも下方に設定して、該幕板補助片の先端面がレール本体１３１の前側面と当接するようにしてもよい。
【００８１】
（３）上記実施形態では、引戸固定体１２ａ，１３ａが引戸１の頂部に埋設されたものとなされているが、この固定体１２ａ，１３ａの引戸１に対する固定位置は本実施形態におけるものに限定されるものではなく、例えば引戸の正面（又は背面）等であってもよい。
【符号の説明】
【００８２】
Ｓ  隙間
１  引戸
２  戸枠
３  ガイドレール（レール部材に相当）
５  幕板
１２、１３  第１及び第２ガイドユニット（ガイド体に相当）
２１  戸枠上部（開口部上辺に相当）
３１  レール本体
３２  係合突条部（係合突出部に相当）
３２ａ  係合溝部
５１  幕板本体
５２  幕板突出部
５３  差込突片部（差込突出部に相当）
５４  幕板係合補助片（幕板係合補助部に相当）
【図１】
2013049951.tif 000003
【図２】
2013049951.tif 000004
【図３】
2013049951.tif 000005
【図４】
2013049951.tif 000006
【図５】
2013049951.tif 000007
【図６】
2013049951.tif 000008
【図７】
2013049951.tif 000009